(57)【特許請求の範囲】
【請求項１】
開口を開閉する戸体と、この戸体の上端部に設けられた走行体を走行自在にガイドし、該戸体を吊下支持する上レールと、を備えており、
前記上レールは、長手方向を水平方向に沿わせて配され、前記戸体を半開き位置で保持可能な水平レール部と、この水平レール部の長手方向一端部から下り坂状に傾斜するように設けられ前記戸体を全開側及び閉鎖側のうちの一方側に助勢する第１傾斜レール部と、前記水平レール部の長手方向他端部から下り坂状に傾斜するように設けられ前記戸体を全開側及び閉鎖側のうちの他方側に助勢する第２傾斜レール部と、を備えていることを特徴とする引戸装置。
【請求項２】
請求項１において、
前記戸体の走行体は、戸幅方向両側端部のそれぞれに設けられており、
前記上レールは、戸幅方向一側端部の走行体をガイドし、前記第１傾斜レール部、前記水平レール部及び前記第２傾斜レール部を有した第１レール部と、戸幅方向他側端部の走行体をガイドし、長手方向を水平方向に沿わせて配される第２レール部と、を備えていることを特徴とする引戸装置。
【請求項３】
請求項２において、
前記上レールは、前記戸体が全開位置及び閉鎖位置において戸幅方向両側端部の走行体が同高さ位置となるように、前記第１傾斜レール部及び前記第２傾斜レール部の長手方向における反水平レール部側の各端部と前記第２レール部とが同高さに位置するように配される構成とされていることを特徴とする引戸装置。
【請求項４】
請求項２または３において、
前記上レールは、前記第１レール部が戸先側端部の走行体をガイドする一方、前記第２レール部が戸尻側端部の走行体をガイドするように配される構成とされていることを特徴とする引戸装置。
【請求項５】
請求項１乃至４のいずれか１項において、
前記上レールは、前記第１傾斜レール部の長手方向における反水平レール部側端部と前記第２傾斜レール部の長手方向における反水平レール部側端部とが同高さに位置するように配される構成とされ、かつ、前記第１傾斜レール部の長さ寸法が前記第２傾斜レール部の長さ寸法よりも大とされていることを特徴とする引戸装置。
【請求項６】
請求項１乃至５のいずれか１項において、
前記水平レール部は、上下に変位自在とされており、
前記第１傾斜レール部及び前記第２傾斜レール部の長手方向における水平レール部側の各端部と前記水平レール部の長手方向の各端部とは、戸厚方向に沿う軸回りに回転自在に連結され、前記水平レール部を上下に変位させて前記第１傾斜レール部及び前記第２傾斜レール部の水平面に対する傾斜角度の変更が可能とされていることを特徴とする引戸装置。
【請求項７】
請求項１乃至６のいずれか１項において、
全開側及び閉鎖側のそれぞれに助勢されて移動する前記戸体を減速させる緩衝機構を備えていることを特徴とする引戸装置。
【発明の詳細な説明】
【技術分野】
【０００１】
本発明は、引戸装置に関する。
【背景技術】
【０００２】
従来より、開口を開閉する戸体を備えた引戸装置が知られている。このような引戸装置としては、電動モーターによって戸体をスライドさせて開口を開閉させる自動ドアがあるが、配線や電源が必要になるという問題があった。また、ばねの付勢力や錘の荷重を利用して全開側及び閉鎖側の一方に戸体のスライドを助勢（アシスト）する構造とされたものもあるが、戸体を全開側及び閉鎖側の両方側に助勢することは困難であった。
例えば、下記特許文献１には、ドア本体の上部の吊車が走行するガイドレール部を、中心部に設けられた回動軸部で水平方向上方に概略くの字に折り曲げられた形状とした半自動ドアが開示されている。この半自動ドアにおいては、回動軸部を中心にガイドレール部を揺動させて斜めに傾けることでドア本体が自重によって傾斜の下方へ移動する構成とされている。
【先行技術文献】
【特許文献】
【０００３】
【特許文献１】特開平５−１１８１８０号公報
【発明の概要】
【発明が解決しようとする課題】
【０００４】
しかしながら、上記特許文献１に記載された半自動ドアでは、ガイドレール部を、回動軸部を中心に回転させて傾ける必要があるため構造が複雑化するという問題があった。
【０００５】
本発明は、上記実情に鑑みてなされたものであり、戸体を全開側及び閉鎖側の両方側に助勢可能としながらも、構造の簡略化を図り得る引戸装置を提供することを目的としている。
【課題を解決するための手段】
【０００６】
上記目的を達成するために、本発明に係る引戸装置は、開口を開閉する戸体と、この戸体の上端部に設けられた走行体を走行自在にガイドし、該戸体を吊下支持する上レールと、を備えており、前記上レールは、長手方向を水平方向に沿わせて配され、前記戸体を半開き位置で保持可能な水平レール部と、この水平レール部の長手方向一端部から下り坂状に傾斜するように設けられ前記戸体を全開側及び閉鎖側のうちの一方側に助勢する第１傾斜レール部と、前記水平レール部の長手方向他端部から下り坂状に傾斜するように設けられ前記戸体を全開側及び閉鎖側のうちの他方側に助勢する第２傾斜レール部と、を備えていることを特徴とする。
【発明の効果】
【０００７】
本発明に係る引戸装置は、上述のような構成としたことで、戸体を全開側及び閉鎖側の両方側に助勢可能としながらも、構造の簡略化を図ることができる。
【図面の簡単な説明】
【０００８】
【図１】本発明の一実施形態に係る引戸装置の一例を施工した状態を模式的に示す一部破断概略正面図である。
【図２】図１に対応させた一部破断概略正面図である。
【図３】図１におけるＸ−Ｘ線矢視に対応させた一部破断概略縦断面図である。
【図４】同引戸装置の一部を省略した一部破断概略分解斜視図である。
【図５】同引戸装置の一部破断概略正面図である。
【図６】（ａ）、（ｂ）は、図５におけるＹ部に対応させた一部破断概略正面図である。
【図７】同引戸装置の一部破断概略正面図である。
【図８】同引戸装置の一部破断概略正面図である。
【図９】同引戸装置の一部破断概略正面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る引戸装置を施工した状態を基準として上下方向等の方向を説明する。
【００１０】
本実施形態に係る引戸装置１は、図１及び図２に示すように、開口３を開閉する戸体１０と、この戸体１０の上端部に設けられた走行体１２，１４を走行自在にガイドし、戸体１０を吊下支持する上レール２０と、を備えている。また、上レール２０は、長手方向を水平方向に沿わせて配され、戸体１０を半開き位置で保持可能な水平レール部２２を備えている。また、上レール２０は、水平レール部２２の長手方向一端部から下り坂状に傾斜するように設けられ戸体１０を全開側及び閉鎖側のうちの一方側に助勢する第１傾斜レール部２４を備えている。また、上レール２０は、水平レール部２２の長手方向他端部から下り坂状に傾斜するように設けられ戸体１０を全開側及び閉鎖側のうちの他方側に助勢する第２傾斜レール部２６を備えている。
【００１１】
また、本実施形態では、引戸装置１の戸体１０を、壁体２に設けられた開口３をこの開口３の壁厚方向一方側において開閉するように壁体２の一方面に沿ってスライド自在に建て付けられる構成としている。つまり、この戸体１０は、壁体の一部に設けられた袖壁に納められる袖壁納めや壁体に設けられた戸袋に納められる戸袋納めではなく、開口３の壁厚方向一方側となる外側においてスライド自在に、いわゆるアウトセット納め状に建て付けられる構成とされている。また、この戸体１０は、図１に示す閉鎖位置から戸幅方向（壁幅方向）一方側に片引き状にスライドされて図２に示す全開位置とされれば、開口３の開口幅方向一方側に位置する壁体２の壁厚方向一方側に配される構成とされている。本実施形態では、引戸装置１を、単一の戸体１０を備えた構成としている。
【００１２】
開口３は、図３に示すように、住居等の建物の壁体２を貫通するように設けられ、出入口を構成する。図例では、開口３の上側及び左右（開口幅方向）両側を、開口枠を構成する上枠４及び一対の縦枠５，５によって区画した例を示している。これら上枠４及び一対の縦枠５，５は、これらの壁厚方向（見込方向）両端部がいわゆるちり部となるように壁厚方向両面から突出する固定枠でもよい。
また、この開口３の下側は、床面によって区画するようにしてもよく、下枠によって区画するようにしてもよい。また、このような開口枠を備えた引戸装置１として把握するようにしてもよい。なお、このような開口枠を設けずに、開口３を、無枠状にクロス仕上された内側面によって区画するようにしてもよい。
【００１３】
また、この開口３の幅寸法（有効開口幅）は、出入性やバリアフリー性の観点等から適宜の寸法としてもよく、例えば、６５０ｍｍ以上としてもよく、好ましくは、７５０ｍｍ以上としてもよく、より好ましくは、９００ｍｍ以上としてもよい。図例では、戸体１０が全開状態で、壁厚方向に見て、開口３の全体が露出するように戸体１０を設けた構成としている。つまり、この開口３の幅寸法自体が有効開口幅となる構成としているが、戸体１０が全開状態で、戸幅方向一方側の端部となる戸先側端部がいわゆる引き残しとして壁厚方向に見て開口３の一部に重なり合うように配される構成とされたものでもよい。つまり、全開状態の戸体１０の戸先側端面が有効開口幅方向両側のうちの一方側を区画するような態様としてもよい。
【００１４】
また、本実施形態では、図３に示すように、引戸装置１に、戸体１０の下端側をガイドする下端ガイド部材６を設けた構成としている。本実施形態では、戸体１０の下端部に、下向きに開口する凹溝１１を戸幅方向に沿って設けた構成とし、下端ガイド部材６を、この凹溝１１に挿入（遊挿）されるガイドピンを備えた構成としている。
この下端ガイド部材６は、図１及び図２に示すように、閉鎖位置と全開位置との間を移動する戸体１０の移動軌跡の直下に位置するように設けられる。この下端ガイド部材６は、閉鎖位置と全開位置との間を移動する戸体１０の直下に少なくとも一つが存在するように設けるようにしてもよい。図例では、下端ガイド部材６を一箇所のみに設けた例を示しているが、戸体１０の移動軌跡に沿って間隔を空けて複数箇所に設けた態様としてもよい。また、この下端ガイド部材６を、磁石を設けたガイドピンを上下方向に出没自在に収容し、床に埋め込まれるように配設されるマグネットガイドとしてもよい。この場合は、戸体１０の凹溝１１に、この下端ガイド部材６に対応させて磁石や磁性体等を設けてもよい。なお、閉鎖位置と全開位置との間を移動する戸体１０と常時、重なる位置に設けられる下端ガイド部材６を、上下方向に出没不能とされたガイド部（ガイドピン）を備えた固定ガイド部材としてもよい。
【００１５】
戸体１０は、上下に長尺状とされた略矩形平板状とされ、図１に示すように、閉鎖位置において、戸厚方向（壁厚方向と同方向）一方側から見て開口３の略全体を覆う構成とされている。また、戸体１０は、図２に示すように、全開位置において、この全開位置とされた戸体１０の戸先側端部近傍に位置する縦枠５の内側面（見込面）と戸先側端面とが略同一平面状となるように配される構成とされている。
本実施形態では、図１に示すように、戸体１０の上下寸法及び戸幅寸法を、開口３の開口幅寸法及び開口高寸法よりも大としている。図例では、戸体１０の上下寸法を、閉鎖位置において、戸厚方向一方側から見て上枠４の下方側部位を覆い得る寸法としている。また、戸体１０の戸幅寸法を、閉鎖位置において、戸厚方向一方側から見て両側の縦枠５，５の略全体を覆い得る寸法としている。また、図例では、閉鎖位置とされた戸体１０を戸厚方向に見た状態における壁体２との重なり幅（戸幅方向に沿う幅）が、戸先側端部よりも戸尻側端部において大となるように戸体１０を配した例を示しているが、このような態様に限られない。
【００１６】
また、この戸体１０の戸先側端部には、当該戸体１０を開閉する際の手掛けとなる適宜の引手１８が設けられている。このような引手１８は、戸厚方向両側に設けるようにしてもよい。また、引手１８としては、例えば、掘込状とされたものとしてもよい。または、戸体１０を、全開状態で引き残しが形成されるように建て付けられるものとし、この引き残し部位となる戸先側端部の戸厚方向両側に突出するようなバー状（棒状）の引手１８を設けた態様としてもよい。
また、この戸体１０の下端側には、上記した下端ガイド部材６にガイドされる被ガイド部としての凹溝１１が設けられている。この凹溝１１は、戸体１０の下端面において開口するように戸体１０の戸幅方向の全幅に亘って設けられている。
【００１７】
戸体１０の上端部に設けられた走行体１２，１４は、上レール２０に係合して保持される転動体１３，１５を有した吊車（ランナー）とされている。
本実施形態では、戸体１０の戸幅方向両側端部のそれぞれに走行体１２，１４を設けた構成としている。つまり、戸体１０の上端部の戸幅方向一側端部に戸先側端部の走行体としての戸先側走行体１２を設け、戸体１０の上端部の戸幅方向他側端部に戸尻側端部の走行体としての戸尻側走行体１４を設けた構成としている。
また、これら戸幅方向両側の走行体１２，１４は、互いに同様の構成とされている。
本実施形態では、図３〜図５に示すように、走行体１２，１４を、戸厚方向に沿う軸１３ａ，１５ａ回りに回転する転動体（ローラー）１３，１５を備えた構成としている。また、これら走行体１２，１４のそれぞれに、単一の転動体１３，１５を設けた構成としているが、それぞれに複数の転動体１３，１５を設けた構成としてもよい。また、これら転動体１３，１５の外周面に、周方向に延びるように全周に亘って係合溝を設けた構成としている（図３参照）。図例では、これら転動体１３，１５の係合溝を、周方向に見て、略Ｕ字溝状または略半円溝状とした例を示している。
【００１８】
また、これら走行体１２，１４は、戸体１０の上端面から上方に向けて突出するように設けられている。また、これら走行体１２，１４は、戸体１０の上端面からそれぞれの転動体１３，１５の軸心までの戸体長手方向（高さ方向）に沿う寸法が略同寸法となるように設けられている。図例では、走行体１２，１４のそれぞれに、厚さ方向を戸厚方向に沿わせ、転動体１３，１５を回転自在に支持する板状の支持部を設け、この支持部の壁体２側となる厚さ方向一方側に沿わせるように転動体１３，１５を設けた例を示している。また、それぞれの支持部の戸幅方向略中央部に位置するように転動体１３，１５の回転軸１３ａ，１５ａを設けた例を示している。また、これら走行体１２，１４のそれぞれに、戸体１０の上端部の戸幅方向両側端のそれぞれに設けられた取付凹所に嵌め入れられるように取り付けられる取付基部を設けた例を示している（図４参照）。
【００１９】
上レール２０は、図１及び図２に示すように、戸体１０の戸幅方向に沿う方向に長尺状とされている。本実施形態では、この上レール２０を、図３に示すように、壁体２の壁厚方向一方側に沿うように配される構成としている。つまり、上レール２０を、天井側や上枠４に埋込状に設けられるものとせずに、壁体２に付設状に設けられるものとしている。このような構成とした場合には、壁厚方向一方側から見て、上レール２０及び戸体１０の上端部を覆うように配されるカバー部材７を設けた構成としてもよい。
【００２０】
また、本実施形態では、上レール２０を、戸幅方向一側端部の走行体１２をガイドし、第１傾斜レール部２４、水平レール部２２及び第２傾斜レール部２６を有した第１レール部２１を備えた構成としている。また、上レール２０を、戸幅方向他側端部の走行体１４をガイドし、長手方向を水平方向に沿わせて配される第２レール部２９を備えた構成としている。本実施形態では、上記のように、戸幅方向一側端部の走行体１２を戸先側走行体１２とし、戸幅方向他側端部の走行体１４を戸尻側走行体１４としている。つまり、上レール２０を、第１レール部２１が戸先側走行体１２をガイドする一方、第２レール部２９が戸尻側走行体１４をガイドするように配される構成としている。
【００２１】
また、本実施形態では、上レール２０を、第１傾斜レール部２４の長手方向における反水平レール部側端部と第２傾斜レール部２６の長手方向における反水平レール部側端部とが同高さに位置するように配される構成としている。また、戸体１０が全開位置及び閉鎖位置において両側の走行体１２，１４が同高さ位置となるように、第１傾斜レール部２４及び第２傾斜レール部２６の各反水平レール部側端部と第２レール部２９とが同高さに位置するように配される構成としている。
また、本実施形態では、図３〜図５に示すように、上レール２０を、固定対象としての壁体２に固定され、第１レール部２１及び第２レール部２９を支持するレールベース３０を備えた構成としている。
【００２２】
レールベース３０は、戸体１０の戸幅方向に沿う方向に長尺状とされ、長手方向を水平方向に沿わせて配される構成とされている。
このレールベース３０は、固定対象２に沿うように固定される固定片部３１と第１レール部２１及び第２レール部２９を支持する支持片部３２とを略直交状に設けた構成とされ、長手方向に見て略Ｌ字状とされている。
固定片部３１は、壁厚方向に厚さ方向を沿わせて配される略薄板状とされている。この固定片部３１をねじやビス等の止具によって壁体２に対して固定し、レールベース３０が壁体２に固定される。なお、固定片部３１の長手方向に間隔を空けて複数箇所に止具の挿通孔を設けたり、固定片部３１の表面（反壁体側に向く面）に、止具止着箇所の目印溝等を設けた構成としてもよい。
【００２３】
また、本実施形態では、固定片部３１の表面側に、後記する第１レール部２１の水平レール部２２の垂直片部２２ａを受け入れる受入凹所３１ａを設けた構成としている。この受入凹所３１ａは、第１レール部２１の水平レール部２２が配される位置に応じた位置となるように、固定片部３１の長手方向途中部位に設けられ、かつ下方側及び長手方向両側に開口するように設けられている。図例では、固定片部３１の上端縁から反壁体側に向けて突出するように設けられた部位を溝底部とし、この溝底部と溝底部から垂れ下がるように設けられた垂下片部と固定片部３１の表面とによって受入凹所３１ａを区画した例を示している。
【００２４】
支持片部３２は、上下方向に厚さ方向を沿わせて配される略薄板状とされ、固定片部３１の下端部から反壁体側に向けて突出するように設けられている。第１レール部２１及び第２レール部２９は、この支持片部３２上に位置するように配されて支持片部３２に支持される構成とされている。また、この支持片部３２に、第１傾斜レール部２４及び第２傾斜レール部２６の反水平レール部側の各端部が当接され、第２レール部２９が載置される。これにより、第１傾斜レール部２４及び第２傾斜レール部２６の反水平レール部側の各端部（の走行面）と第２レール部２９（の走行面）とが同高さに位置するように配される構成とされている。
また、この支持片部３２における第１レール部２１の水平レール部２２が配される部位には、厚さ方向（上下方向）に貫通するように係合孔３２ａ，３２ａが設けられている。図例では、長手方向に沿って間隔を空けて二箇所に係合孔３２ａ，３２ａを設けた例を示している。また、これら係合孔３２ａ，３２ａを、水平レール部２２の長手方向中央部から互いに略等間隔を空けた位置となるように設けた構成としてもよい。また、図例では、これら係合孔３２ａ，３２ａを、支持片部３２の上面から上方側に向けてボス状に突出するように設けられた円筒部を貫通するように設けた例を示している。
【００２５】
第１レール部２１及び第２レール部２９は、閉鎖位置から全開位置まで移動する戸体１０の各走行体１２，１４のガイドが可能なように設けられている。第１レール部２１は、開口３の上側の壁体２に沿うように配され、第２レール部２９は、全開位置の戸体１０が沿うように納められる壁体２の上端部に沿うように配される構成とされている。
これら第１レール部２１及び第２レール部２９の戸幅方向に沿う寸法は、互いに概ね同寸法とされている。図例では、第２レール部２９の戸幅方向に沿う寸法を、第１レール部２１の戸幅方向に沿う寸法よりも僅かに大とした例を示している。
本実施形態では、第１レール部２１の水平レール部２２、第１傾斜レール部２４及び第２傾斜レール部２６並びに第２レール部２９の長手方向に見た形状を、同寸同形状とし、かつ全長に亘って一様な形状としている。
【００２６】
また、本実施形態では、図４に示すように、各レール部２２，２４，２６，２９（第１レール部２１の水平レール部２２、第１傾斜レール部２４及び第２傾斜レール部２６並びに第２レール部２９）を、それぞれに別体とされたものとしている。つまり、長手方向に見た形状が同寸同形状とされた複数部材を組み合わせて第１レール部２１及び第２レール部２９の各レール部２２，２４，２６，２９を構成している。
各レール部２２，２４，２６，２９は、レールベース３０の固定片部３１に沿うように配される垂直片部２２ａ，２４ａ，２６ａ，２９ａを備えている。また、各レール部２２，２４，２６，２９は、各垂直片部２２ａ，２４ａ，２６ａ，２９ａの下端部から反壁体側に向けて突出するように設けられ、戸体１０の走行体１２，１４をガイドするガイド片部２２ｂ，２４ｂ，２６ｂ，２９ｂを備えている。また、各レール部２２，２４，２６，２９は、各垂直片部２２ａ，２４ａ，２６ａ，２９ａと各ガイド片部２２ｂ，２４ｂ，２６ｂ，２９ｂとを略直交状に設けた構成とされ、長手方向に見て略Ｌ字状とされている（図３参照）。
【００２７】
各垂直片部２２ａ，２４ａ，２６ａ，２９ａは、壁厚方向に厚さ方向を沿わせて配される略薄板状とされている。
また、各垂直片部２２ａ，２４ａ，２６ａ，２９ａには、厚さ方向に貫通し、ねじやビス等の止具が挿通される止具挿通孔が長手方向に間隔（図例では、略等間隔）を空けて複数箇所に設けられている。図例では、これら止具挿通孔を、各垂直片部２２ａ，２４ａ，２６ａ，２９ａの幅方向に長径な長孔状とした例を示している。なお、一部の図では、止具挿通孔の図示を省略している。
各レール部２２，２４，２６，２９は、各垂直片部２２ａ，２４ａ，２６ａ，２９ａの止具挿通孔を介して挿通された止具によってレールベース３０または壁体２に固定されるものとしてもよい。
【００２８】
各ガイド片部２２ｂ，２４ｂ，２６ｂ，２９ｂは、各垂直片部２２ａ，２４ａ，２６ａ，２９ａの幅方向に厚さ方向を沿わせた略薄板状とされている。
また、各ガイド片部２２ｂ，２４ｂ，２６ｂ，２９ｂには、走行体１２，１４の転動体１３，１５が係合して走行自在にガイドされ、転動体１３，１５の走行面を構成する係合部２２ｃ，２４ｃ，２６ｃ，２９ｃが設けられている。下り坂状に傾斜するように配される各傾斜レール部２４，２６は、それぞれの走行面が下り坂状に傾斜するように配される構成とされ、水平状に配される水平レール部２２及び第２レール部２９は、それぞれの走行面が水平状に配される。
本実施形態では、各係合部２２ｃ，２４ｃ，２６ｃ，２９ｃを、各ガイド片部２２ｂ，２４ｂ，２６ｂ，２９ｂの突出方向先端部から上方側となる厚さ方向一方側に向けて突出し、長手方向に延びるように全長に亘って設けられた係合突条としている。
【００２９】
各係合突条２２ｃ，２４ｃ，２６ｃ，２９ｃの上面側となる突出方向先端面が走行面を構成する。図例では、各係合突条２２ｃ，２４ｃ，２６ｃ，２９ｃの突出方向先端面を、長手方向に見て、突湾曲面形状とした例を示している。なお、このような態様に代えて、転動体１３，１５を受け入れる溝状とされた係合部２２ｃ，２４ｃ，２６ｃ，２９ｃを各ガイド片部２２ｂ，２４ｂ，２６ｂ，２９ｂに設けた構成としてもよい。
また、上記した走行体１２，１４の支持部には、各係合突条２２ｃ，２４ｃ，２６ｃ，２９ｃに転動体１３，１５が係合した状態で、ガイド片部２２ｂ，２４ｂ，２６ｂ，２９ｂの下面側に近接するように配される落下防止片が設けられている（図３参照）。
【００３０】
また、各ガイド片部２２ｂ，２４ｂ，２６ｂ，２９ｂの基端部には、上方側となる厚さ方向一方側に向けて開口し、長手方向に延びる凹溝２２ｄ，２４ｄ，２６ｄ，２９ｄが全長に亘って設けられている。図例では、各凹溝２２ｄ，２４ｄ，２６ｄ，２９ｄの溝幅方向両側開口縁から互いに向き合う方向に向けて溝幅を狭めるように突出する突部を設けた例を示している。
また、水平レール部２２のガイド片部２２ｂには、図３及び図４に示すように、上記したレールベース３０の支持片部３２に支持された状態で、係合孔３２ａ，３２ａに整合する位置となるようにボルト挿通孔２２ｅ，２２ｅが設けられている。図例では、水平レール部２２のガイド片部２２ｂに、係合孔３２ａ，３２ａに対応させて長手方向に沿って間隔を空けて二箇所にボルト挿通孔２２ｅ，２２ｅを設けた例を示している。また、これらボルト挿通孔２２ｅ，２２ｅを皿孔状とした例を示している。また、これらボルト挿通孔２２ｅ，２２ｅを凹溝２２ｄの溝底を貫通するように設けた例を示している。
【００３１】
上記構成とされた各レール部２２，２４，２６，２９は、各係合突条２２ｃ，２４ｃ，２６ｃ，２９ｃが戸厚方向に沿う方向で一致した位置となるように、また、長手方向に概ね一連状となるようにレールベース３０の支持片部３２上に配される。
また、本実施形態では、第１レール部２１の水平レール部２２を、上下に変位自在としている。また、第１傾斜レール部２４及び第２傾斜レール部２６の長手方向における水平レール部２２側の各端部と水平レール部２２の長手方向の各端部とを、戸厚方向に沿う軸２３ａ，２５ａ回りに回転自在に連結した構成としている。また、水平レール部２２を上下に変位させて第１傾斜レール部２４及び第２傾斜レール部２６の水平面に対する傾斜角度θ１，θ２（図６（ａ）参照）の変更を可能とした構成としている。
【００３２】
本実施形態では、図４〜図６に示すように、第１傾斜レール部２４及び第２傾斜レール部２６の各端部と水平レール部２２の各端部とを、連結部材を構成する蝶番２３，２５によって連結した構成としている。図例では、蝶番２３，２５を、第１レール部２１の各レール部２２，２４，２６の下面側に沿うように固定される一対の取付羽根を備えた羽根蝶番（平蝶番）２３，２５とし、これらの連結軸２３ａ，２５ａを、戸厚方向に沿う軸とした例を示している。
また、水平レール部２２の垂直片部２２ａは、図３に示すように、上記したレールベース３０の受入凹所３１ａに挿入される構成とされている。この受入凹所３１ａの戸厚方向に沿う幅寸法は、垂直片部２２ａの厚さ寸法に応じた寸法とされている。また、受入凹所３１ａの上下方向に沿う深さ寸法は、上下に変位される水平レール部２２の垂直片部２２ａの受け入れが可能なように適宜の寸法とされている。
【００３３】
また、本実施形態では、レールベース３０の支持片部３２に対して支持片部３２の厚さ方向と同方向となる上下方向に変位自在に水平レール部２２をガイドする上下ガイド部２７，２７を設けた構成としている。また、レールベース３０の支持片部３２に対して支持片部３２の厚さ方向一方側となる上方側に向けて水平レール部２２を付勢するばね部材２８，２８を設けた構成としている。また、ばね部材２８，２８を、上レール２０（第１レール部２１）を固定対象としての壁体２に対して仮保持させた状態で、上下に変位自在とされた水平レール部２２を戸体１０の荷重に抗して上方側に付勢可能な構成としている。
【００３４】
上下ガイド部２７，２７は、本実施形態では、水平レール部２２の長手方向に沿って間隔を空けて二箇所に設けられている。これら上下ガイド部２７，２７は、互いに同様の構成とされており、以下では、一方を例にとって説明する。
この上下ガイド部２７は、水平レール部２２のボルト挿通孔２２ｅに挿通されるボルト２７ａと、ボルト２７ａを水平レール部２２に対して固定する固定部材２７ｂ，２７ｃと、を備えている。図例では、固定部材２７ｂ，２７ｃを、ボルト挿通孔２２ｅに挿通されたボルト２７ａが挿通される円筒部材２７ｂと、円筒部材２７ｂの下端から露出するボルト２７ａの下端部にねじ合わされるナット２７ｃと、を備えた構成としている。円筒部材２７ｂは、その上端が水平レール部２２の下面に当接規制され、下端側がレールベース３０の支持片部３２の係合孔３２ａに挿通される構成とされている。また、この円筒部材２７の外径は、係合孔３２ａの孔径に応じた径とされている。ナット２７ｃは、支持片部３２の下方側に位置するように配され、係合孔３２ａに挿通された円筒部材２７ｂの下端に当接される構成とされている。
【００３５】
上記のような構成により、水平レール部２２は、上下ガイド部２７，２７の円筒部材２７ｂ，２７ｂが支持片部３２の係合孔３２ａ，３２ａに上下動自在に係合し、その上下動がガイドされる。また、上下ガイド部２７，２７の下端のナット２７ｃ，２７ｃが支持片部３２に対する水平レール部２２の上方側への抜け止めとして機能する。なお、上下ガイド部２７，２７としては、このような態様に限られず、種々の変形が可能である。
また、本実施形態では、ばね部材２８，２８を、上下ガイド部２７，２７の各円筒部材２７ｂ，２７ｂに外装された圧縮コイルばねとしている。つまり、上下ガイド部２７，２７の各円筒部材２７ｂ，２７ｂを、ばね部材２８，２８の案内シャフトとしている。
これらばね部材２８，２８は、上端が水平レール部２２の下面に当接され、下端が支持片部３２の上面に当接されて支持片部３２に対して水平レール部２２を上方側に付勢する構成とされている。
【００３６】
これらばね部材２８，２８は、第１レール部２１が壁体２に対して仮保持された状態で、当該引戸装置１に適用可能な最大許容質量の戸体１０の一方の走行体１２を水平レール部２２に係合保持させた状態で、密着状態となることなく付勢可能な構成とされたものとしてもよい。また、これらばね部材２８，２８は、戸体１０の質量に応じて第１傾斜レール部２４及び第２傾斜レール部２６の水平面に対する傾斜角度（水平面と係合突条２４ｃ，２６ｃの走行面とのなす角）θ１，θ２が好適な角度となるように、適宜の構成とされたものとしてもよい。なお、ばね部材２８，２８としては、圧縮コイルばねに限られず、板ばねや、引張コイルばね等の他のばね部材を採用するようにしてもよい。この場合は、ばね部材２８，２８の配設位置等を適宜、変形するようにしてもよい。
【００３７】
図６に示すように、壁体２（図３参照）に固定されたレールベース３０の支持片部３２に仮保持された第１レール部２１の水平レール部２２に荷重を掛ければ、ばね部材２８，２８の弾性変形を伴い、水平レール部２２が下方側に移動する。つまり、支持片部３２と水平レール部２２との間の上下方向の隙間寸法が無荷重の状態よりも小さくなる。これにより、水平レール部２２の各端部に回転自在に連結された第１傾斜レール部２４及び第２傾斜レール部２６の水平レール部２２部側の端部が下方側に移動し、第１傾斜レール部２４及び第２傾斜レール部２６の水平面に対する傾斜角度θ１，θ２が小さくなる。
【００３８】
図６では、質量の異なる２つの戸体１０，１０Ａを、壁体２（図３参照）に固定されたレールベース３０の支持片部３２に仮保持された上レール２０にそれぞれ吊下支持させた状態を示している。また、図６では、これら戸体１０，１０Ａを、戸先側走行体１２の転動体１３が水平レール部２２の長手方向略中央部に位置するように上レール２０に吊下支持させた構成としている。図６（ａ）では、図６（ｂ）に示す戸体１０Ａよりも質量が大とされた戸体１０を示しており、これにより、図６（ａ）に示す水平レール部２２は、図６（ｂ）に示す水平レール部２２よりも下方側に位置するように配される。つまり、戸体１０を吊下支持した状態における第１傾斜レール部２４及び第２傾斜レール部２６の水平面に対する傾斜角度θ１，θ２は、戸体１０Ａを吊下支持した状態における第１傾斜レール部２４及び第２傾斜レール部２６の水平面に対する傾斜角度θ１Ａ，θ２Ａよりも小さくなる。つまり、重い戸体１０を吊下支持させるほど第１傾斜レール部２４及び第２傾斜レール部２６の傾斜角度θ１，θ２が緩やかになる。
【００３９】
これら第１傾斜レール部２４及び第２傾斜レール部２６の傾斜角度θ１，θ２は、戸先側走行体１２が各傾斜レール部２４，２６に位置した状態で、各傾斜レール部２４，２６を下る方向に戸体１０が自重によって移動（自走）するように適宜の角度としてもよい。また、各傾斜レール部２４，２６の傾斜角度θ１，θ２を小さくし過ぎれば、戸体１０が自走し難くなる傾向がある。一方、各傾斜レール部２４，２６の傾斜角度θ１，θ２を大きくし過ぎれば、自走方向とは逆側に戸体１０を移動させる際に要する力（操作力）が大きくなったり、自走の際の速度が速くなる傾向がある。各傾斜レール部２４，２６の傾斜角度θ１，θ２は、上記のような観点や戸体１０の質量、上レール２０の摩擦抵抗等に応じて、適宜、設定するようにしてもよい。例えば、各傾斜レール部２４，２６の傾斜角度θ１，θ２を、１度〜２０度程度としてもよく、好ましくは、１．５度〜１０度程度としてもよい。
【００４０】
また、第１レール部２１は、上記のように、戸先側走行体１２の転動体１３が水平レール部２２の長手方向略中央部に位置するように戸体１０を上レール２０に吊下支持させて釣り合った（水平レール部２２の上下動がなくなった）状態で、固定するようにしてもよい。この際、各レール部２２，２４，２６の各垂直片部２２ａ，２４ａ，２６ａをレールベース３０の固定片部３１または壁体２に上記のように固定し、第１レール部２１をレールベース３０（壁体２）に対して固定するようにしてもよい。なお、水平レール部２２の垂直片部２２ａの止具挿通孔が露出するように、レールベース３０の受入凹所３１ａを区画する上記垂下片部に切欠状のスリットや長孔等を設けた態様としてもよい。または、水平レール部２２を直接的に固定せずに、第１傾斜レール部２４及び第２傾斜レール部２６の各垂直片部２４ａ，２６ａをレールベース３０の固定片部３１または壁体２に固定することで、水平レール部２２がレールベース３０（壁体２）に対して固定状態とされるものとしてもよい。また、図例では、各傾斜レール部２４，２６の係合突条２４ｃ，２６ｃの水平レール部２２側の端部と水平レール部２２の係合突条２２ｃの各端部との間に隙間が形成されたように示しているが、このような態様に限られない。例えば、隙間が形成されないように、各レール部２２，２４，２６の突き合わせられる端部に面取り部を設けたような態様としてもよい。または、端部間に圧縮変形する軟質樹脂やゴム等の圧縮変形部を設けたり、このような端部同士の隙間を塞ぐように適宜の充填材を充填するようにしてもよい。また、第２傾斜レール部２６の係合突条２６ｃの反水平レール部側の端部と第２レール部２９の係合突条２９ｃの第１レール部２１部側の端部との間の隙間も上記同様、面取り部を設けたり、適宜の圧縮変形部や充填材を設けた態様としてもよい。
【００４１】
また、第１レール部２１の各レール部２２，２４，２６の戸幅方向（水平方向）に沿う寸法は、戸体１０の開閉操作性や使い勝手等の観点や、有効開口幅に応じて適宜の寸法としてもよい。本実施形態では、図５に示すように、第１傾斜レール部２４の長さ寸法Ｌ１を第２傾斜レール部２６の長さ寸法Ｌ２よりも大としている。つまり、本実施形態では、これら傾斜レール部２４，２６の反水平レール部側の各端部が同高さに位置するように配されることから、第１傾斜レール部２４の傾斜角度θ１が第２傾斜レール部２６の傾斜角度θ２よりも小となる構成としている。
また、本実施形態では、第１傾斜レール部２４の戸幅方向に沿う寸法（第１傾斜レール部２４の傾斜角度θ１の余弦（ｃｏｓθ１）に長さ寸法Ｌ１を乗じた値に相当する寸法）を、水平レール部２２の戸幅方向に沿う寸法（長さ寸法）よりも大としている。また、第２傾斜レール部２６の戸幅方向に沿う寸法（第２傾斜レール部２６の傾斜角度θ２の余弦（ｃｏｓθ２）に長さ寸法Ｌ２を乗じた値に相当する寸法）を、水平レール部２２の戸幅方向に沿う寸法（長さ寸法）よりも小としている。
【００４２】
例えば、水平レール部２２の戸幅方向に沿う寸法を５０ｍｍ〜５００ｍｍ程度とし、第１傾斜レール部２４の戸幅方向に沿う寸法を水平レール部２２よりも大とし、第２傾斜レール部２６の戸幅方向に沿う寸法を水平レール部２２よりも小としてもよい。また、例えば、第１傾斜レール部２４の戸幅方向に沿う寸法を、戸先側走行体１２が水平レール部２２に係合保持されて戸体１０が半開き位置とされた状態の開口幅寸法が操作者の通過が可能な寸法となるように適宜の寸法としてもよい。図例では、第１傾斜レール部２４の戸幅方向に沿う寸法を、水平レール部２２の戸幅方向に沿う寸法の１．５倍程度とし、第２傾斜レール部２６の戸幅方向に沿う寸法を、水平レール部２２の戸幅方向に沿う寸法の５／６程度とした例を示している。
【００４３】
第２レール部２９は、第１レール部２１の第２傾斜レール部２６の反水平レール部側端部に当接するように配される。この第２レール部２９は、各傾斜レール部２４，２６と同様、垂直片部２９ａをレールベース３０の固定片部３１または壁体２に固定し、レールベース３０（壁体２）に対して固定されるものとしてもよい。また、この第２レール部２９と第２傾斜レール部２６とは、適宜の連結部材で連結されたものでもよい。なお、この第２レール部２９の第１レール部２１側の端部に、全開位置とされた戸体１０の戸先側走行体１２の転動体１３が係合保持される態様としてもよい。また、複数部材を組み合わせて第１レール部２１及び第２レール部２９の各レール部２２，２４，２６，２９を構成した態様に代えて、第１レール部２１及び第２レール部２９のそれぞれまたは上レール２０の全体が単一部材によって形成されたものとしてもよい。
【００４４】
また、本実施形態では、引戸装置１を、全開側及び閉鎖側のそれぞれに助勢されて移動する戸体１０を減速させる緩衝機構１６を備えた構成としている。本実施形態では、緩衝機構１６を戸体１０側に設け、この緩衝機構１６を作動させる作用部３３，３４を上レール２０側に設けた構成としている。また、図４及び図５に示すように、緩衝機構１６を、戸体１０の両側の走行体１２，１４のうちの一方の戸先側走行体１２に設けた構成としている。
また、緩衝機構１６を、戸厚方向に沿う軸１７ａ回りに回転するピニオン（歯車）１７を備えた構成とし、上レール２０側に設けられる作用部３３，３４を、ピニオン１７に噛み合うラック３３，３４としている。このような緩衝機構１６としては、適宜、公知の緩衝機構１６の採用が可能であるが、例えば、ピニオン１７の回転を制動する（回転の作動抵抗となる）制動部（ダンパー）を備えたものとしてもよい。このような制動部としては、オイル等の作動流体の粘性抵抗やばねの付勢力を利用したものでもよい。
【００４５】
また、ピニオン１７が一方側に回転する際のみに制動力が作用し、他方側に回転する際には空転するように、公知のワンウェイクラッチ等を設けた態様としてもよい。つまり、後記するように、戸体１０が助勢されて全開側及び閉鎖側に移動する際には、緩衝機構１６による緩衝機能が作用するようにピニオン１７に制動力が作用する構成とされたものとしてもよい。一方、全開位置とされた戸体１０を閉鎖側に移動させる際及び閉鎖位置とされた戸体１０を全開側に移動させる際には、ピニオン１７への制動力が作用しないようにピニオン１７が空転する構成とされたものとしてもよい。
また、この緩衝機構１６のピニオン１７は、戸先側走行体１２の転動体１３と戸厚方向でずれた位置となるように、戸厚方向で転動体１３よりも壁体２側に位置するように設けられている。
【００４６】
また、図例では、緩衝機構１６を、戸体１０の上端部に固定された戸先側走行体１２の板状の支持部に固定した例を示している。また、戸先側走行体１２の支持部の戸尻側端部に緩衝機構１６を固定した例を示している。また、緩衝機構１６を、戸幅方向に概ね沿う方向に長尺状の略直方体状とし、その戸先側端部を戸先側走行体１２の支持部の戸尻側に固定した例を示している。また、後記する閉鎖側ラック３３を保持するラック受けを構成する第１傾斜レール部２４にピニオン１７以外が干渉しないように、緩衝機構１６を、その上面が戸先側に向かうに従い下るように傾斜するように第１傾斜レール部２４に対して概ね平行状となるように取り付けた例を示している。
【００４７】
ラック３３，３４は、閉鎖位置に移動する戸体１０の緩衝機構１６を作動させる閉鎖側ラック３３と、全開位置に移動する戸体１０の緩衝機構１６を作動させる全開側ラック３４と、からなる（図７及び図９も参照）。これら閉鎖側ラック３３と全開側ラック３４とは互いに同様の構成とされ、上レール２０の長手方向に長尺状とされている。
閉鎖側ラック３３は、第１傾斜レール部２４の反水平レール部側の端部側に位置するように設けられている。図例では、閉鎖側ラック３３を、第１傾斜レール部２４の長手方向中央よりも反水平レール部側の端部側に位置するように設けた例を示している。
全開側ラック３４は、第２傾斜レール部２６の反水平レール部側の端部側に位置するように設けられている。図例では、全開側ラック３４を、第２傾斜レール部２６の長手方向中央よりも反水平レール部側の端部側に位置するように設けた例を示している。
【００４８】
また、本実施形態では、閉鎖側ラック３３の歯部と全開側ラック３４の歯部とが上下方向で逆側に向くように、これらラック３３，３４を各傾斜レール部２４，２６に取り付けた構成としている。図例では、閉鎖側ラック３３を、その歯部が上方側を向くように取り付け、全開側ラック３４を、その歯部が下方側を向くように取り付けた例を示している。また、全開側ラック３４を、図５に示すように、第２傾斜レール部２６の上方側に位置するように第２傾斜レール部２６に連結固定されたラック受け３５に取り付けた例を示している。このラック受け３５は、当該ラック受け３５に緩衝機構１６のピニオン１７以外が干渉しないように形成されている。このラック受け３５は、図３に示すように、長手方向に見た形状が各レール部２２，２４，２６，２９のガイド片部の突出方向先端部を切除したような形状とされ、かつ全長に亘って一様な形状とされている。つまり、ラック受け３５は、上記同様な垂直片部３５ａの上端部に、上記同様な凹溝３５ｄが設けられた突出片部３５ｂを設けた構成とされている。また、このラック受け３５の突出片部３５ｂが第２傾斜レール部２６のガイド片部２６ｂと略平行状となるようにラック受け３５を取り付けた例を示している。図例では、ラック受け３５の垂直片部３５ａと第２傾斜レール部２６の垂直片部２６ａとを複数の連結部材３６，３６を介して連結固定した例を示している。
【００４９】
また、閉鎖側ラック３３は、第１傾斜レール部２４のガイド片部２４ｂの凹溝２４ｄに取り付けられ、全開側ラック３４は、ラック受け３５の突出片部３５ｂの凹溝３５ｄに取り付けられる構成とされている。詳細な図示は省略しているが、各ラック３３，３４の歯部とは逆側の面部には、戸厚方向に沿う方向の両側に突出する突片部が設けられており、これら突片部が凹溝２４ｄ，３５ｄの両側開口縁の突部に抜け止め保持される構成とされている。また、第１傾斜レール部２４及びラック受け３５の各凹溝２４ｄ，３５ｄには、各ラック３３，３４の長手方向両側に位置するように適宜の固定金具が取り付けられ、各ラック３３，３４が第１傾斜レール部２４及びラック受け３５に取り付けられる。なお、全開側ラック３４が取り付けられるラック受けとしては、上記のようなラック受け３５に限られず、種々の変形が可能である。
【００５０】
また、図４では、全開側ラック３４を、長手方向に分割された二部材からなるものとした例を示しているが、閉鎖側ラック３３も同様の構成としてもよい。この場合、各ラック３３，３４の水平レール部２２側の部材を、反水平レール部側の部材よりも軟質のものとしてもよい。または、各ラック３３，３４の水平レール部２２側の端部に軟質材等からなる衝撃吸収部等を設けた態様等としてもよい。また、各ラック３３，３４の長手方向に沿う寸法や、配設位置は、閉鎖位置及び全開位置に移動する戸体１０を減速させて衝撃を緩和する観点等から適宜の寸法や位置としてもよい。また、緩衝機構１６及び各ラック３３，３４は、ピニオン１７が各ラック３３，３４に噛み合うように、取付位置の調整が可能とされたものとしてもよい。また、上レール２０の適所や床側等に、閉鎖位置の戸体１０の更なる閉鎖側への移動を抑止するストッパーや、全開位置の戸体１０の更なる開放側への移動を抑止するストッパー等を設けた態様としてもよい。
【００５１】
上記構成とされた引戸装置１の戸体１０は、上レール２０にガイドされて、以下のように、閉鎖位置と全開位置とを移動する。
図７に示すように、戸体１０を、戸先側走行体１２が第１傾斜レール部２４に係合し、戸尻側走行体１４が第２レール部２９に係合するように位置させれば、戸体１０の自重によって戸先側走行体１２が第１傾斜レール部２４を下るように走行する。これにより、戸尻側走行体１４も従動するように第２レール部２９を閉鎖側に向けて走行し、戸体１０が閉鎖側に助勢されて言わば自走する。また、この状態では、戸体１０の戸尻側端部よりも戸先側端部が上方側に位置するように、戸体１０が戸厚方向に沿う軸回りに僅かに傾いた状態となる。そして、緩衝機構１６のピニオン１７が閉鎖側ラック３３に噛み合えば、緩衝機構１６が作動し、閉鎖側に移動する戸体１０が減速されながら閉鎖位置となる。
【００５２】
このように戸体１０が閉鎖位置では、図１に示すように、戸先側走行体１２が第１傾斜レール部２４の反水平レール部側端部に位置し、戸尻側走行体１４が第２レール部２９の第１レール部２１側の端部に位置する。この状態では、戸体１０の上下端面が水平面状、つまり、戸体１０が高さ方向を上下方向に沿わせた略直立状態となる。
また、図８に示すように、戸体１０を、戸先側走行体１２が水平レール部２２に係合し、戸尻側走行体１４が第２レール部２９に係合するように位置させれば、両側の走行体１２，１４の走行を停止させることができ、戸体１０が半開き位置で保持される。この状態でも上記と略同様、戸体１０の戸尻側端部よりも戸先側端部が上方側に位置するように、戸体１０が戸厚方向に沿う軸回りに僅かに傾いた状態となる。
【００５３】
また、図９に示すように、戸体１０を、戸先側走行体１２が第２傾斜レール部２６に係合し、戸尻側走行体１４が第２レール部２９に係合するように位置させれば、戸体１０の自重によって戸先側走行体１２が第２傾斜レール部２６を下るように走行する。これにより、戸尻側走行体１４も従動するように第２レール部２９を全開側に向けて走行し、戸体１０が全開側に助勢されて言わば自走する。また、この状態でも上記と略同様、戸体１０の戸尻側端部よりも戸先側端部が上方側に位置するように、戸体１０が戸厚方向に沿う軸回りに僅かに傾いた状態となる。そして、緩衝機構１６のピニオン１７が全開側ラック３４に噛み合えば、緩衝機構１６が作動し、全開側に移動する戸体１０が減速されながら全開位置となる。
このように、戸体１０が全開位置では、図２に示すように、戸先側走行体１２が第２傾斜レール部２６の反水平レール部側端部に位置し、戸尻側走行体１４が第２レール部２９の反第１レール部側の端部に位置する。この状態では、閉鎖位置と同様、戸体１０の上下端面が水平面状、つまり、戸体１０が高さ方向を上下方向に沿わせた略直立状態となる。
【００５４】
本実施形態に係る引戸装置１は、上述のような構成としたことで、戸体１０を全開側及び閉鎖側の両方側に助勢可能としながらも、構造の簡略化を図ることができる。
つまり、上レール２０に、戸体１０を半開き位置で保持可能な水平レール部２２と、戸体１０を全開側及び閉鎖側のうちの一方側（閉鎖側）に助勢する第１傾斜レール部２４と、戸体１０を他方側（全開側）に助勢する第２傾斜レール部２６と、を設けている。従って、上述のように、戸体１０の走行体１２を第１傾斜レール部２４に位置させれば、第１傾斜レール部２４を下るように走行体１２が走行し、戸体１０が閉鎖側に自走するように助勢されて開口３を閉鎖することができる。また、例えば、この第１傾斜レール部２４に走行体１２が係合した状態で半開き状となる開口３を介して、間仕切られた個室等の空間の様子等を確認することができる。また、このような確認が終われば、戸体１０を離すことで閉鎖側への操作を要することなく閉鎖することもできる。また、例えば、第１傾斜レール部２４に走行体１２が係合した状態で半開き状となる開口３の幅寸法を、操作者の通過可能な寸法とすれば、閉鎖側への操作を要することなく閉鎖可能でありながらも開口３を通過するようなこともできる。
【００５５】
また、戸体１０の走行体１２を水平レール部２２に位置させれば、上述のように、戸体１０が半開き位置で保持され、開口３を半開き状態にすることができる。このように半開き状態で戸体１０を停止させることができるので、通気や上記のような確認等のために半開き状態にしたり、この状態の開口３の幅寸法を、操作者の通過可能な寸法とすれば、この状態で開口３を通過したりすることもできる。
また、上述のように、戸体１０の走行体１２を第２傾斜レール部２６に位置させれば、第２傾斜レール部２６を下るように走行体１２が走行し、戸体１０が全開側に自走するように助勢されて開口３を全開させることができる。つまり、戸体１０を全開側及び閉鎖側の途中位置まで移動させれば、戸体１０を全開側及び閉鎖側の両方側に助勢することができるので、操作者の負担を軽減することができ、言わば半自動引戸とすることができる。また、配線や電源を要する自動ドアと比べて、設置する際の作業性やメンテナンス性を向上させることができる。また、ガイドレール部を回動軸部回りに回転させて傾ける必要があるようなものと比べて、構造の簡略化を図ることができ、また、操作者の負担を軽減することができる。
【００５６】
また、本実施形態では、戸体１０の走行体１２，１４を、戸幅方向両側端部のそれぞれに設けた構成としている。従って、例えば、戸体１０の戸幅方向略中央部のみに走行体を設けたようなものと比べて、戸体１０を移動させる際に戸体１０の下端側が戸幅方向に振れるようなことを抑制することができ、戸体１０を安定的に移動させることができる。
また、上レール２０に、戸幅方向一側端部の走行体１２をガイドする第１レール部２１と、戸幅方向他側端部の走行体１４をガイドし、長手方向を水平方向に沿わせて配される第２レール部２９と、を設けた構成としている。従って、例えば、戸幅方向他側端部の走行体１４をガイドする第２レール部２９に、第１レール部２１と同様の第１傾斜レール部２４、水平レール部２２及び第２傾斜レール部２６を設けたようなものと比べて、構造の簡略化を図ることができる。つまり、上レール２０の戸幅方向に沿う方向の略半部を占める、戸幅方向他側端部の走行体１４を走行自在にガイドする第２レール部２９の構造の簡略化を図ることができる。
【００５７】
また、本実施形態では、上レール２０を、戸体１０が全開位置及び閉鎖位置において両側の走行体１２，１４が同高さ位置となるように、各傾斜レール部２４，２６の反水平レール部側の各端部と第２レール部２９とが同高さに位置するように配される構成としている。従って、上述のように、全開位置と閉鎖位置との間の途中位置では戸体１０が戸厚方向に沿う軸回りに傾いた状態となるが、全開位置及び閉鎖位置では、戸体１０を略直立状態（高さ方向を上下方向に沿わせた状態）とすることができる。これにより、全開位置及び閉鎖位置における戸体１０が戸枠に対して傾いて見えるようなことを抑制することができる。つまり、上記のように戸幅方向他側端部の走行体１４をガイドする第２レール部２９を水平状に配されるものとして構造の簡略化を図ることが可能でありながらも、全開位置及び閉鎖位置において戸体１０を略直立状態とすることができる。なお、このような態様に代えて、上レール２０を、各傾斜レール部２４，２６の反水平レール部側の各端部と第２レール部２９とが異なる高さに位置するように配されるものとしてもよい。例えば、半開き位置において戸体１０が略直立状態となるように、水平レール部２２と第２レール部２９とが同高さに位置するように配される構成としてもよい。また、この場合は、レールベース３０を適宜、変形したり、第２レール部２９を、レールベース３０を介さずに直接的に固定対象２に固定されるものとしたりしてもよい。
【００５８】
また、本実施形態では、上レール２０を、第１レール部２１が戸先側端部の走行体（戸先側走行体）１２をガイドする一方、第２レール部２９が戸尻側端部の走行体（戸尻側走行体）１４をガイドするように配される構成としている。従って、例えば、戸体１０を収納する戸袋が設けられるような場合にも、比較的に構造の複雑な第１レール部２１側を開口３側に位置させることができ、第１レール部２１のメンテナンス性を向上させることができる。つまり、簡易な構造の第２レール部２９を戸袋内に設けることができる。なお、このような態様に代えて、上レール２０を、第１レール部２１が戸尻側走行体１４をガイドする一方、第２レール部２９が戸先側走行体１２をガイドするように配される態様としてもよい。
【００５９】
また、本実施形態では、上レール２０を、第１傾斜レール部２４の反水平レール部側端部と第２傾斜レール部２６の反水平レール部側端部とが同高さに位置するように配される構成としている。また、第１傾斜レール部２４の長さ寸法Ｌ１を、第２傾斜レール部２６の長さ寸法Ｌ２よりも大としている。従って、上述のように、第１傾斜レール部２４を、戸体１０を閉鎖側に助勢するものとすれば、閉鎖側への操作を要することなく閉鎖可能な状態における半開き状態の開口３の幅寸法を比較的に大きくすることができる。また、戸体１０を全開位置から閉鎖位置とする際に必要となる戸体１０の移動距離、つまり、全開位置から戸先側走行体１２が第１傾斜レール部２４に係合するまでの戸体１０の移動距離を比較的に小さくすることができる。また、第１傾斜レール部２４の水平面に対する傾斜角度θ１が第２傾斜レール部２６の水平面に対する傾斜角度θ２よりも小さくなり、全開側に助勢される戸体１０の速度よりも閉鎖側に助勢される戸体１０の速度を遅くすることができる。なお、上記のような態様に代えて、上記とは逆に、第１傾斜レール部２４を、戸体１０を全開側に助勢するものとしてもよい。このような態様とすれば、戸体１０を閉鎖位置から全開位置とする際に必要となる戸体１０の移動距離を比較的に小さくすることができる。また、上記のように各傾斜レール部２４，２６の長さ寸法Ｌ１，Ｌ２を異ならせた態様に代えて、第１傾斜レール部２４の長さ寸法Ｌ１と第２傾斜レール部２６の長さ寸法Ｌ２とを同寸法としてもよい。また、上記のように第１レール部２１の各レール部２２，２４，２６の戸幅方向に沿う寸法を異なる寸法とした態様に代えて、両傾斜レール部２４，２６のうちの少なくとも一方の戸幅方向に沿う寸法を、水平レール部２２の戸幅方向に沿う寸法と同寸法とししてもよい。または、両方の傾斜レール部２４，２６の戸幅方向に沿う寸法を同寸法若しくは異なる寸法とし、かつ、水平レール部２２の戸幅方向に沿う寸法よりも大若しくは小としてもよい。
【００６０】
また、本実施形態では、各傾斜レール部２４，２６の水平レール部２２側の各端部と水平レール部２２の各端部とを、回転自在に連結し、水平レール部２２を上下に変位させて各傾斜レール部２４，２６の傾斜角度θ１，θ２の変更を可能としている。従って、水平レール部２２を上下に変位させることで、第１傾斜レール部２４及び第２傾斜レール部２６の傾斜角度θ１，θ２を変更することができる。これにより、戸体１０の戸先側走行体１２が各傾斜レール部２４，２６を上るように戸体１０を移動させる際に要する力を変更したり、全開側及び閉鎖側に助勢される戸体１０の速度等を変更したりすることができる。また、例えば、仕様違い等によって戸体１０の質量が異なる場合にも、戸体１０の戸先側走行体１２が各傾斜レール部２４，２６を上るように戸体１０を移動させる際に要する力を戸体１０の質量に応じて概ね同程度にするようなこともできる。
【００６１】
また、本実施形態では、上レール２０（第１レール部２１）を固定対象としての壁体２に対して仮保持させた状態で、上下に変位自在とされた水平レール部２２を戸体１０の荷重に抗して上方側に付勢するばね部材２８，２８を設けた構成としている。従って、上述のように、上レール２０を壁体２に対して仮保持させた状態で、戸体１０の戸先側走行体１２を水平レール部２２に位置させれば、戸体１０の荷重に応じてばね部材２８，２８が変形して水平レール部２２が下方側に変位し、この位置で上レール２０を本固定することができる。これにより、上述のように、比較的に重い戸体１０の場合には、各傾斜レール部２４，２６の傾斜角度θ１，θ２が比較的に小さくなり、比較的に軽い戸体１０Ａの場合には、各傾斜レール部２４，２６の傾斜角度θ１Ａ，θ２Ａが比較的に大きくなることとなる。従って、例えば、このようなばね部材２８，２８を設けずに水平レール部２２の上下位置を調整する必要があるようなものと比べて、作業性を向上させることができる。
【００６２】
また、本実施形態では、上レール２０に、固定対象としての壁体２に固定され、第１レール部２１を仮保持可能なレールベース３０を設けた構成としている。従って、第１レール部２１を、壁体２に直接的に仮保持させる必要があるものと比べて、作業性を向上させることができる。なお、このようなレールベース３０を設けないようにしてもよく、また、上述のようなばね部材２８，２８を設けないようにしてもよい。この場合は、水平レール部２２をねじ作用等によって上下に変位させる上下位置調整部を設けたりしてもよい。さらには、水平レール部２２を上下に変位不能とした態様としてもよい。この場合は、各傾斜レール部２４，２６の長さ寸法Ｌ１，Ｌ２を変更することで、各傾斜レール部２４，２６の傾斜角度θ１，θ２を変更するようにしてもよい。
【００６３】
また、本実施形態では、全開側及び閉鎖側のそれぞれに助勢されて移動する戸体１０を減速させる緩衝機構１６を備えた構成としている。従って、全開位置及び閉鎖位置に移動する戸体１０の衝撃を緩和することができる。
また、本実施形態では、戸体１０の戸先側端部に緩衝機構１６を設け、第１レール部２１の長手方向両端部に、この緩衝機構１６を作動させる作用部（ラック）３３，３４をそれぞれに設けた構成としている。従って、例えば、戸体１０を収納する戸袋が設けられるような場合にも、緩衝機構１６や両ラック３３，３４を開口３側に位置させることができ、これらのメンテナンス性を向上させることができる。
【００６４】
なお、上記のような態様に代えて、戸体１０の戸尻側端部に緩衝機構１６を設け、第２レール部２９の長手方向両端部に、この緩衝機構１６を作動させる作用部（ラック）３３，３４をそれぞれに設けた構成としてもよい。
また、本実施形態では、緩衝機構１６を戸体１０側に設け、この緩衝機構１６を作動させる作用部３３，３４を上レール２０側に設けた例を示しているが、これらを逆側に設けるようにしてもよい。つまり、緩衝機構１６を上レール２０側に設け、この緩衝機構１６を作動させる作用部３３，３４を戸体１０側に設けた態様としてもよい。
【００６５】
また、緩衝機構１６及びこれを作動させる作用部３３，３４としては、上記のようなラック３３，３４に噛み合うピニオン１７の回転を制動する構成とされたものに限られず、種々の構成とされた緩衝機構１６の採用が可能である。例えば、戸厚方向に沿う軸回りに回転されるアームの先端部を受け入れる係合凹部を作用部とし、このアームの回転を制動する構成とされたものや、戸幅方向に沿う方向に進退するロッドの先端が当接する当接部を作用部とし、このロッドの進退を制動する構成とされたもの等を緩衝機構１６として採用するようにしてもよい。また、本実施形態では、全開側及び閉鎖側のそれぞれに助勢されて移動する戸体１０を減速させる緩衝機構１６を設けた構成としているが、全開側及び閉鎖側のうちの一方側に助勢されて移動する戸体１０を減速させる緩衝機構１６を設けた構成としてもよい。更には、このような緩衝機構１６を設けない態様としてもよい。
【００６６】
また、本実施形態では、上レール２０を、水平レール部２２及び各傾斜レール部２４，２６を有した第１レール部２１と、水平状に配される第２レール部２９と、を備えた構成とした例を示しているが、このような態様に限られない。例えば、戸幅方向他側端部の走行体（戸尻側走行体）１４をガイドする第２レール部２９に、第１レール部２１と同様の第１傾斜レール部２４、水平レール部２２及び第２傾斜レール部２６を設けた態様としてもよい。つまり、戸先側走行体１２をガイドする第１レール部２１及び戸尻側走行体１４をガイドする第２レール部２９のそれぞれに、第１傾斜レール部２４、水平レール部２２及び第２傾斜レール部２６を設けた態様としてもよい。このような態様とすれば、戸体１０を移動させる際に、戸体１０が戸厚方向に沿う軸回りに傾いたような状態となるようなことなく、戸体１０を略直立状態（高さ方向を上下方向に沿わせた状態）に維持することができる。また、両側の走行体１２，１４が各傾斜レール部２４，２６を下るように走行して戸体１０の助勢がなされるため各傾斜レール部２４，２６の水平面に対する傾斜角度を比較的に小さくすることもできる。これにより、両側の走行体１２，１４が各傾斜レール部２４，２６を上るように戸体１０を移動させる際に要する力を小さくすることもできる。
【００６７】
また、本実施形態では、戸体１０の戸幅方向両側端部のそれぞれに走行体１２，１４を設けた態様とした例を示しているが、このような態様に代えて、戸体１０の戸幅方向略中央部のみに走行体１２を設けた態様としてもよい。この場合は、上レール２０に第１レール部２１と第２レール部２９とを設けずに、上レール２０の全体を第１レール部２１と同様な構成とし、この上レール２０を、戸体１０の移動領域の中央部に位置するように配されるものとしてもよい。つまり、開口３の上側に位置するように第１傾斜レール部２４が配されるものとし、全開位置で戸体１０が納められる壁体２の上端部に位置するように第２傾斜レール部２６が配されるものとしてもよい。戸体１０の走行体１２（１４）及びこれをガイドする上レール２０としては、その他、種々の変形が可能である。
【００６８】
また、本実施形態では、単一の戸体１０を備えた片引式の引戸装置１を例示しているが、このような態様に限られず、二枚の戸体１０を備えた引分け式や引き違い式の引戸装置１としてもよい。引分け式の場合は、各戸体１０をガイドする各上レール２０を戸厚方向に見て左右対称状に配されるものとした態様としてもよい。引き違い式の場合は、各戸体１０をガイドする各上レール２０を戸厚方向に並列状に設けた態様としてもよく、または、一方の戸体をガイドする上レールを全長に亘って水平状に配されるものとしてもよい。
また、本実施形態では、引戸装置１の戸体１０を、アウトセット納め状に配設されるものとした例を示しているが、このような態様に限られない。例えば、引戸装置１の戸体１０を、壁体の一部に設けられた袖壁に納められる袖壁納め状や壁体に設けられた戸袋に納められる戸袋納め状に配設されるものとしてもよい。この場合は、戸体１０の走行体１２（１４）や、上レール２０を適宜、必要に応じて変形するようにしてもよい。
【符号の説明】
【００６９】
１            引戸装置
１０，１０Ａ  戸体
１２          戸先側走行体（戸幅方向一側端部（戸先側端部）の走行体）
１４          戸尻側走行体（戸幅方向他側端部（戸尻側端部）の走行体）
１６          緩衝機構
２０          上レール
２１          第１レール部
２２          水平レール部
２３ａ        連結軸（戸厚方向に沿う軸）
２４          第１傾斜レール部
２５ａ        連結軸（戸厚方向に沿う軸）
２６          第２傾斜レール部
２９          第２レール部
３            開口
Ｌ１          第１傾斜レール部の長さ寸法
Ｌ２          第２傾斜レール部の長さ寸法
θ１，θ１Ａ  第１傾斜レール部の水平面に対する傾斜角度
θ２，θ２Ａ  第２傾斜レール部の水平面に対する傾斜角度
【図１】
0006569998.tif 000002
【図２】
0006569998.tif 000003
【図３】
0006569998.tif 000004
【図４】
0006569998.tif 000005
【図５】
0006569998.tif 000006
【図６】
0006569998.tif 000007
【図７】
0006569998.tif 000008
【図８】
0006569998.tif 000009
【図９】
0006569998.tif 000010